(57)【要約】【課題】特色に対して他の色が重畳するすべての組み合わせに対応し、特色と他の色が重畳した場合の色再現が可能となり、特色インクを使用した印刷物に極めて近似したカラープルーフを作成できるカラープルーフ作成方法及びカラープルーフ作成装置を提供する。【解決手段】このカラープルーフ作成方法は、墨色及び特色を含む複数の色の網点画像データに基づいて波長の異なる複数の光源により銀塩カラー感光材料を露光し感光させてカラープルーフを作成する際に、墨色及び特色を含む複数の色とそれぞれの色が重畳した部分との組み合わせに対応した複数の光源から出射する光ビームの強度組成を組み合わせ毎に独立して設定可能としたルックアップテーブル５４により網点画像データから露光データを作成し、複数の光源が露光データに基づいて露光を行う。【選択図】  図５
2004334108.tif 000002
【特許請求の範囲】
【請求項１】
墨色及び特色を含む複数の色の網点画像データに基づいて波長の異なる複数の光源により銀塩カラー感光材料を露光し感光させてカラープルーフを作成する方法であって、
前記墨色及び特色を含む複数の色とそれぞれの色が重畳した部分との組み合わせに対応した前記複数の光源から出射する光ビームの強度組成を前記組み合わせ毎に独立して設定可能としたルックアップテーブルにより前記網点画像データから露光データを作成し、前記複数の光源が前記露光データに基づいて露光を行うことを特徴とするカラープルーフ作成方法。
【請求項２】
前記複数の光源は、前記各光源からの光ビームが前記銀塩カラー感光材料の記録面で略同位置に露光されるように構成され、
前記ルックアップテーブルに基づく前記複数の光源の光ビームの各強度組成による露光データを１回で全て露光することを特徴とする請求項１に記載のカラープルーフ作成方法。
【請求項３】
前記ルックアップテーブルに基づく前記複数の光源の光ビームの各強度組成による露光データを複数回で露光することを特徴とする請求項１に記載のカラープルーフ作成方法。
【請求項４】
前記ルックアップテーブルにおいて前記カラープルーフの再現元の印刷媒体の地色に応じて前記複数の光源の光ビームの強度組成を設定することを特徴とする請求項１，２または３に記載のカラープルーフ作成方法。
【請求項５】
前記ルックアップテーブルの内容を書き換えることを特徴とする請求項１乃至４のいずれか１項に記載のカラープルーフ作成方法。
【請求項６】
前記ルックアップテーブルの内容を外部から転送されたデータに基づいて書き換えることを特徴とする請求項５に記載のカラープルーフ作成方法。
【請求項７】
前記ルックアップテーブルを複数有し、前記複数のルックアップテーブルから任意のルックアップテーブルを指定することを特徴とする請求項１乃至４のいずれか１項に記載のカラープルーフ作成方法。
【請求項８】
前記ルックアップテーブルの指定を外部から転送されたデータに基づいて行うことを特徴とする請求項７に記載のカラープルーフ作成方法。
【請求項９】
前記ルックアップテーブルの内容を表示することを特徴とする請求項１乃至８のいずれか１項に記載のカラープルーフ作成方法。
【請求項１０】
墨色及び特色を含む複数の色の網点画像データに基づいて波長の異なる複数の光源により銀塩カラー感光材料を露光し感光させてカラープルーフを作成する装置であって、
前記墨色及び特色を含む複数の色とそれぞれの色が重畳した部分との組み合わせに対応した前記複数の光源から出射する光ビームの強度組成を前記組み合わせ毎に独立して設定可能としたルックアップテーブルを備え、
前記ルックアップテーブルにより前記網点画像データから露光データを作成し、前記複数の光源が前記露光データに基づいて露光を行うことを特徴とするカラープルーフ作成装置。
【請求項１１】
前記複数の光源は、前記各光源からの光ビームが前記銀塩カラー感光材料の記録面で略同位置に露光されるように構成され、
前記ルックアップテーブルに基づく前記複数の光源の光ビームの各強度組成による露光データを１回で全て露光することを特徴とする請求項１０に記載のカラープルーフ作成装置。
【請求項１２】
前記ルックアップテーブルに基づく前記複数の光源の光ビームの各強度組成による露光データを複数回で露光することを特徴とする請求項１０に記載のカラープルーフ作成装置。
【請求項１３】
前記ルックアップテーブルにおいて前記カラープルーフの再現元の印刷媒体の地色に応じて前記複数の光源の光ビームの強度組成を設定可能であることを特徴とする請求項１０，１１または１２に記載のカラープルーフ作成装置。
【請求項１４】
前記ルックアップテーブルの内容を書き換え可能であることを特徴とする請求項１０乃至１３のいずれか１項に記載のカラープルーフ作成装置。
【請求項１５】
前記ルックアップテーブルの内容を外部から転送されたデータに基づいて書き換えることを特徴とする請求項１４に記載のカラープルーフ作成装置。
【請求項１６】
前記ルックアップテーブルを複数有し、前記複数のルックアップテーブルから任意のルックアップテーブルを指定可能であることを特徴とする請求項１０乃至１３のいずれか１項に記載のカラープルーフ作成装置。
【請求項１７】
前記ルックアップテーブルの指定を外部から転送されたデータに基づいて行うことを特徴とする請求項１６に記載のカラープルーフ作成装置。
【請求項１８】
前記ルックアップテーブルの内容を表示する表示部を備えることを特徴とする請求項１０乃至１７のいずれか１項に記載のカラープルーフ作成装置。
【請求項１９】
前記複数の光源は直接変調される発光ダイオードから構成されることを特徴とする請求項１０乃至１８のいずれか１項に記載のカラープルーフ作成装置。
【発明の詳細な説明】
【０００１】
【発明の属する技術分野】
本発明は、網点画像データに基づいて波長の異なる複数の光源によって銀塩カラー感光材料を感光させてカラープルーフを作成するカラープルーフ作成方法及びカラープルーフ作成装置に関するものである。
【０００２】
【従来の技術】
印刷製版工程では最終的な印刷作業を行う前に、印刷出力対象の絵柄、色調、文章、文字等の確認を行うためにプルーフ（校正用サンプル）を作成するのが一般的である。このプルーフ作成のための画像データをカラープルーフ作成装置に送り、カラープルーフ作成装置において露光部でドラムの周囲に巻き付けた銀塩カラー感光材料からなる感光紙に対し、入力した画像データに基づき図８のようなルックアップテーブルで複数の光源の強度組成を指定し露光データを作成してから複数の光源で露光を行い、その後、ドラムから感光紙を剥離し搬送し現像部で現像処理を行いカラープルーフとして出力する（下記特許文献１参照）。
【０００３】
従来のカラープルーフ作成装置では、図８のルックアップテーブルのように、各色（Ｙ、Ｍ、Ｃ、Ｂ、Ｇ、Ｒ、Ｇｙ）、Ｋ（墨色）、Ｗ（ホワイト）、特色（ＳＰ）、各色とＫの組み合わせで画像データから作成した露光データを露光し、カラープルーフを作成していた。このため、特色に対して他の色が重畳した場合（オーバープリント）の再現において任意濃度の設定ができないため、本来の印刷物の色濃度を再現することができなかった。
【０００４】
例えば、特色とＫの組み合わせ重畳部分の画像の場合（オーバープリント）、その画像部分のカラープルーフをＫのみで作成するのに対し、実際の印刷のオーバープリントでは特色とＫが重畳するため見え方が異なってしまい、カラープルーフで本来の印刷物の色濃度を再現できない。
【０００５】
【特許文献１】
特開２０００−３５２８１３公報
【０００６】
【発明が解決しようとする課題】
本発明は、上記従来技術の問題に鑑み、特色に対して他の色が重畳するすべての組み合わせに対応し、特色と他の色が重畳した場合の色再現が可能となり、特色インクを使用した印刷物に極めて近似したカラープルーフを作成できるカラープルーフ作成方法及びカラープルーフ作成装置を提供することを目的とする。
【０００７】
【課題を解決するための手段】
上記目的を達成するために、本発明によるカラープルーフ作成方法は、墨色及び特色を含む複数の色の網点画像データに基づいて波長の異なる複数の光源により銀塩カラー感光材料を露光し感光させてカラープルーフを作成する方法であって、前記墨色及び特色を含む複数の色とそれぞれの色が重畳した部分との組み合わせに対応した前記複数の光源から出射する光ビームの強度組成を前記組み合わせ毎に独立して設定可能としたルックアップテーブルにより前記網点画像データから露光データを作成し、前記複数の光源が前記露光データに基づいて露光を行うことを特徴とする。
【０００８】
このカラープルーフ作成方法によれば、特色（１色以上の複数色）に対して他の色が重畳するすべての組み合わせに対応したルックアップテーブルにより、従来再現することが不可能だった特色と他の色が重畳した場合の色再現が可能となり、特色インクを使用した印刷物に極めて近似したカラープルーフの作成が可能となる。特に、特色に墨色が重畳した色を再現性よく再現できる。
【０００９】
上記カラープルーフ作成方法において前記複数の光源は前記各光源からの光ビームが前記銀塩カラー感光材料の記録面で略同位置に露光されるように構成され、前記ルックアップテーブルに基づく前記複数の光源の光ビームの各強度組成による露光データを１回で全て露光できるように構成でき、カラープルーフの生産性が向上する。
【００１０】
また、前記ルックアップテーブルに基づく前記複数の光源の光ビームの各強度組成による露光データを複数回で露光するように構成してもよい。
【００１１】
また、前記ルックアップテーブルにおいて前記カラープルーフの再現元の印刷媒体の地色に応じて前記複数の光源の光ビームの強度組成を設定することが好ましい。この下地処理によりカラープルーフの再現性がより向上する。
【００１２】
また、前記ルックアップテーブルの内容を書き換えることで、適切なルックアップテーブルで露光を行うことができる。この場合、前記ルックアップテーブルの内容を外部から転送されたデータに基づいて書き換えるようにしてもよい。
【００１３】
また、前記ルックアップテーブルを複数有し、前記複数のルックアップテーブルから任意のルックアップテーブルを指定することで、適切なルックアップテーブルで露光を行うことができる。この場合、前記ルックアップテーブルの指定を外部から転送されたデータに基づいて行うようにしてもよい。
【００１４】
また、前記ルックアップテーブルの内容を表示部等に表示することで、内容確認が容易となる。
【００１５】
本発明によるカラープルーフ作成装置は、墨色及び特色を含む複数の色の網点画像データに基づいて波長の異なる複数の光源により銀塩カラー感光材料を露光し感光させてカラープルーフを作成する装置であって、前記墨色及び特色を含む複数の色とそれぞれの色が重畳した部分との組み合わせに対応した前記複数の光源から出射する光ビームの強度組成を前記組み合わせ毎に独立して設定可能としたルックアップテーブルを備え、前記ルックアップテーブルにより前記網点画像データから露光データを作成し、前記複数の光源が前記露光データに基づいて露光を行うことを特徴とする。
【００１６】
このカラープルーフ作成装置によれば、特色（１色以上の複数色）に対して他の色が重畳するすべての組み合わせに対応したルックアップテーブルを備えることにより、従来再現することが不可能だった特色と他の色が重畳した場合の色再現が可能となり、特色インクを使用した印刷物に極めて近似したカラープルーフの作成が可能となる。特に、特色に墨色が重畳した色を再現性よく再現できる。
【００１７】
上記カラープルーフ作成装置において前記複数の光源は前記各光源からの光ビームが前記銀塩カラー感光材料の記録面で略同位置に露光されるように構成され、前記ルックアップテーブルに基づく前記複数の光源の光ビームの各強度組成による露光データを１回で全て露光するように構成できる。また、前記ルックアップテーブルに基づく前記複数の光源の各強度組成による露光データを複数回で露光するように構成してもよい。
【００１８】
また、前記ルックアップテーブルにおいて前記カラープルーフの再現元の印刷媒体の地色に応じて前記複数の光源の光ビームの強度組成を設定可能に構成できる。
【００１９】
また、前記ルックアップテーブルの内容を書き換え可能に構成できる。この場合、前記ルックアップテーブルの内容を外部から転送されたデータに基づいて書き換えるようにできる。
【００２０】
また、前記ルックアップテーブルを複数有し、前記複数のルックアップテーブルから任意のルックアップテーブルを指定可能に構成できる。この場合、前記ルックアップテーブルの指定を外部から転送されたデータに基づいて行うようにできる。
【００２１】
また、前記ルックアップテーブルの内容を表示する表示部を備えることが好ましい。また、前記複数の光源は直接変調される発光ダイオード（ＬＥＤ）から構成されることが好ましい。
【００２２】
【発明の実施の形態】
以下、本発明による実施の形態について図面を用いて説明する。図１は本実施の形態によるカラープルーフ作成装置全体の外観を示す斜視図である。図２は図１のカラープルーフ作成装置の内部を正面側から見た図である。図３は図２のカラープルーフ作成装置のドラム及び光学ユニットを上部から見た要部平面図である。
【００２３】
図１、図２に示すように、本実施の形態によるカラープルーフ作成装置１は、印刷出力対象の絵柄、色調、文章、文字等の確認を行うためのカラープルーフ（校正用サンプル）を作成するものであって、銀塩カラー感光材料（以下、単に「感光材料」ともいう。）に露光し画像を形成する露光部１１と、露光された感光材料を現像する現像部２１と、を備える。
【００２４】
露光部１１は、前面からメンテナンスできるように開閉可能な前面パネル５と、各種情報の表示とタッチパネルからなり装置全体の操作のために入力可能な表示部２と、内部にロール状の銀塩カラー感光材料である感光紙を収容したカートリッジ１３を給紙カバー３，４の開放後に装填可能な装填部１２，１２’と、を備える。図１では装填部１２，１２’にカートリッジ１３を装填する前、装填した後の状態を示している。
【００２５】
現像部２１は、メンテナンスのために開閉可能な上面パネル６と、前面には、現像処理液等の補充等のために開閉可能に設けられた補給パネル７と、を備える。
【００２６】
図２に示すように、カラープルーフ作成装置１の露光部１１は、内部にロール状に巻かれたシート状感光材料である感光紙を収納した専用のカートリッジ１３を装填し収容する装填部１２，１２’と、装填部１２，１２’に装填されたカートリッジ１３から感光紙を給送する搬送ローラ対４０，４１，４２等からなる給送部１４と、給送部１４から給送された感光紙Ｓを外周面に真空吸引し保持しながら主走査のために回転方向Ｒに回転するドラム１０と、ドラム１０上の感光紙に対しＬＥＤ光やレーザ光等の光ビームを露光する光学ユニット１６と、光学ユニット１６を副走査のために副走査方向（図１の紙面垂直方向）に搬送する副走査部１７と、画像記録後のドラム１０上の感光紙を剥離する剥離部材１５と、を備える。露光後の感光紙は出口１９及び接続部１９ａを通して現像部２１へと搬送される。
【００２７】
図２のカラープルーフ作成装置１は、更に、搬送ローラ対４２の下流側に配置されドラム１０に向けて送られる感光紙の搬送に従い従動回転する従動ローラ３１と、感光紙をドラム１０との間で搬送する従動ローラ３１と、ドラム１０上から剥離部材１５で剥離された感光紙をドラム１０と従動ローラ３１とで搬送するときに感光紙をガイドするアキュームガイド部材１８と、アキュームガイド部材１８で送られてきた感光紙を出口１９へと更に搬送する搬送ローラ対３２と、搬送ローラ対３２に達した感光紙をアキュームするためにアキュームガイド部材１８の一部が開放されることで形成されるアキュームレート部３０と、搬送ローラ対３２の下流側近傍に配置された感光紙の先端を検出する検出センサ３３と、を備える。
【００２８】
搬送ローラ対４２の下流側近傍に配置された比較的幅狭の従動ローラ４３は記録紙の移動とともに従動回転し、この従動ローラ４３と同軸にロータリエンコーダ（図示省略）が連結されている。このロータリエンコーダが従動ローラ４３とともに回転し回転量を測定することで搬送ローラ対４２を通過して回転ドラム１０に巻き付けられた感光紙の長さを求めることができる。また、下流側の搬送ローラ対３２は、ワンウェイクラッチ構造を有し、感光紙の下流側への送り出し方向への回転が自在となっている。
【００２９】
図２の搬送ローラ対４０，４１の下流側近傍には感光紙を切断するカット部１０ａがそれぞれ配置されており、各カット部１０ａはモータ（図示省略）により回転駆動されるロータリカッタを有し、上述の感光紙の長さ測定に基づいて感光紙を所定長さに切断する。
【００３０】
図２の現像部２１は、露光部１１から送られた露光後の感光紙について湿式現像を行うもので、感光紙の現像処理を行う現像部２３と、定着処理を行う定着部２４と、安定処理を行う安定部２５と、乾燥処理を行う乾燥部２６と、乾燥された感光紙を搬送ローラ対２７ａ等で外部に排出する排出部２７と、を備える。
【００３１】
図３のように、カラープルーフ作成装置１のドラム１０は、回転軸部１４’の回転軸１４ａ及び回転軸部１８の回転軸１５ａが軸受３３ａ、３３ｂを介して支持台３４ａ、３４ｂに回転可能に軸支されている。ドラム１０の一方の回転軸１５ａには、駆動プーリ３５ａが設けられ、この駆動プーリ３５ａはドラム駆動用パルスモータＭ６の出力プーリ３５ｂとベルト３６により連結され、ドラム駆動用パルスモータＭ６の駆動によりドラム１０が回転する。また、ドラム１０の回転軸１５ａには、ロータリーエンコーダ３７が設けられ、回転のためのパルス信号を出力してドラムの回転に同期した画素クロック制御に用いる。
【００３２】
ドラム１０の他方の回転軸１４ａは吸引ブロアＰ１に連結されている。ドラム１０の表面には吸着孔３１ｃが回転軸方向に直線状に延びて多数形成されており、吸引ブロアＰ１の駆動によりドラム１０の内部が減圧されて感光紙がドラム１０の表面に吸着される。
【００３３】
光学ユニット１６は、副走査部１７によりドラム軸と平行に移動可能に構成され、ドラム１０に吸着された感光紙に光ビームで露光して画像の書き込みを行う。図３に示すように、光学ユニット１６には、異なる３波長の光源としてＬＥＤユニット３２０、ＬＥＤユニット３２１、ＬＥＤユニット３２２が配置されている。各ＬＥＤユニット（ＬＥＤ光源）３２０，３２１，３２２からの光ビームは、ミラー３２５、３２６、３２７を介して、集光レンズ３３１からドラム１０上の感光紙に画像を露光する。露光シャッタ３３２は露光ソレノイド３３３により開閉することで、露光開始／終了時に光路の開閉を行なう。
【００３４】
複数のＬＥＤ光源３２０，３２１，３２２からの各光ビームはドラム１０に吸着された感光紙の記録面で略同位置に露光される。また、複数のＬＥＤ光源３２０，３２１，３２２は、例えば、それぞれ波長４５０ｎｍ程度のＢ（ブルー）、波長５４０ｎｍ程度のＧ（グリーン）、波長６５０ｎｍ程度のＲ（レッド）の各色を発光するように構成でき、各ＬＥＤ光源により銀塩カラー感光材料を露光したとき、ＢによりＹ（イエロー）、ＲによりＭ（マゼンダ）、ＧによりＣ（シアン）がそれぞれ発色するようになる。
【００３５】
光学ユニット１６は、移動ベルト３４０に固定され、一対のガイドレール３４１、３４２に案内されてドラム軸と平行方向に移動可能に設けられている。移動ベルト３４０は一対のプーリ３４３、３４４に掛け渡され、一方のプーリ３４４は副走査モータＭ７の出力軸３４５に連結され、副走査モータＭ７の駆動により光学ユニット１６がドラム軸と平行に移動する。
【００３６】
図３に示すように、吸引ブロアＰ１は空気吸引ポンプにより吸引連結管５１を通してドラム１０内を吸引し、露光部１１による露光開始前にドラム１０内を負圧にし感光紙を外周面に吸着する。
【００３７】
図４に図１〜図３のカラープルーフ作成装置１の露光部１１における画像データの流れ及びカラープルーフ作成装置１の制御系のブロック図を示す。
【００３８】
図４に示すように、図１〜図３のカラープルーフ作成装置１は、カラープルーフを作成するために外部の画像処理装置であるＲＩＰ（Ｒａｓｔｅｒ  Ｉｍａｇｅ  Ｐｒｏｃｅｓｓｏｒ）４９でラスターデータから網点画像データを作成し、この網点画像データがＲＩＰ４９から露光部１１に転送されるようになっている。
【００３９】
露光部１１は、図４のように、外部のＲＩＰ４９からの網点画像データが入力する画像データＩ／Ｆ部５２と、画像データＩ／Ｆ部５２からの網点画像データをいったん記憶し随時出力するハードディスク記憶装置等からなるデータバッファ５３と、データバッファ５３からの網点画像データに基づいて感光紙に対する露光のための露光データを作成するルックアップテーブル５４と、ルックアップテーブル５４からの露光データのデジタル信号をアナログ信号に変換するＢ、Ｇ、Ｒの各ＬＥＤ光源３２０〜３２２に対応した複数のＤ／Ａ変換部５５ａ，５５ｂ，５５ｃと、Ｄ／Ａ変換部５５ａ〜５５ｃからの各アナログ信号により各ＬＥＤ光源３２０〜３２２を直接にアナログ変調しドライブする複数のドライバ５６ａ，５６ｂ，５６ｃと、を備える。
【００４０】
図４の制御部５０は、中央演算処理装置（ＣＰＵ）等から構成され、画像データＩ／Ｆ部５２、データバッファ５３、ルックアップテーブル５４、表示部２及び他の装置部分を制御する。また、制御部５０は、表示部２にルックアップテーブル５４の内容を表示させることができる。
【００４１】
図５に図４のルックアップテーブル（ＬＵＴ）５４の例を示す。図５のルックアップテーブル５４は、特色２色（Ｓ１，Ｓ２）を含む印刷の再現色（６４色）に対応する、各ＬＥＤ光源３２０〜３２２から出射するＲ（レッド）、Ｇ（グリーン）、Ｂ（ブルー）の各光ビームの相対強度組成（％）を規定している。なお、Ｒ、Ｇ、Ｂの各光ビームの強度組成は、感光材料で発色するＣ、Ｍ、Ｙの各濃度に対応する。
【００４２】
即ち、図５において特色１色（Ｓ１）を含む印刷の再現色３２色は、Ｙ（イエロー）、Ｍ（マゼンタ）、Ｃ（シアン）、Ｂ（ブルー）、Ｇ（グリーン）、Ｒ（レッド）、Ｋ（墨色／ブラック）、Ｇｙ（グレイ）及びＷ（ホワイト）からなる９色の再現色のグループＡと、Ｙ、Ｍ、Ｃ、Ｂ、Ｇ、Ｒ、Ｇｙの各色にＫが重なる７色の再現色のグループＢと、特色Ｓ１及びＹ、Ｍ、Ｃ、Ｂ、Ｇ、Ｒ、Ｋ、Ｇｙの各色に特色Ｓ１が重なる９色の再現色のグループＣと、Ｙ、Ｍ、Ｃ、Ｂ、Ｇ、Ｒ、Ｇｙの各色にＫ及び特色Ｓ１が重なる７色の再現色のグループＤと、から構成され、図５のルックアップテーブル５４は特色Ｓ１に対して他の色が重畳するすべての組み合わせに対応してＲ、Ｇ、Ｂの各光ビームの強度組成を規定している。
【００４３】
また、図５のルックアップテーブル５４では、もう１つの特色Ｓ２に対して他の色が重畳するすべての組み合わせを含む３２色について特色Ｓ１と同様にＲ、Ｇ、Ｂの各光ビームの強度組成が規定されている。
【００４４】
また、印刷に使用するインクの種類や印刷媒体の地色を考慮して複数のＬＥＤ光源３２０〜３２２から出射する光ビームの強度組成を設定したルックアップテーブル５４とすることで、インクの種類や印刷媒体の地色に対応したカラープルーフを作成できる。この場合、印刷に使用するインクの種類や印刷媒体の地色等に対応するために複数の図５のようなルックアップテーブルが必要になるが、図４の制御部５０は、ルックアップテーブルを書き換えるためのデータを記憶し、そのデータに基づいてルックアップテーブルをその都度書き換えるか、または、予め複数のルックアップテーブルを用意しメモリに記憶し、その中から適宜ルックアップテーブルを選択する。または、外部から転送された画像データに含まれるデータに基づいてルックアップテーブルをその都度外部から書き換える。
【００４５】
図５のルックアップテーブル５４により、外部のＲＩＰ４９から入力した網点画像データから露光データを作成し、この露光データに基づいて各ＬＥＤ光源３２０〜３２２を発光させることで感光紙を露光する。
【００４６】
また、各ＬＥＤ光源３２０〜３２２は、従来のオンオフのデジタル変調による露光ではなく、直接アナログ変調されることで発光強度を多段階的に制御して露光する。例えば、特色Ｓ１にＫを重ねた色を再現するには、図５（Ｎｏ．２４）のように、ＬＥＤ光源３２０（Ｂ用），３２１（Ｇ用），３２２（Ｒ用）を１１７％，１５３％，１２３％の相対発光強度で各光ビームを発光し重畳させることで、特色Ｓ１とＫが重畳した場合の色を再現性よく再現できる。
【００４７】
また、このとき、図３のように、複数のＬＥＤ光源３２０，３２１，３２２からの各光ビームはドラム１０に吸着された感光紙の記録面で略同位置に露光されるので、１回の露光でその位置に対する露光を完了することができる。
【００４８】
次に、図１乃至図５のカラープルーフ作成装置１における動作について図６のフローチャートを参照して説明する。
【００４９】
まず、外部のＲＩＰ４９から転送された網点画像データが入力すると（Ｓ０１）、制御部５０は印刷に使用するインクの種類や印刷媒体の地色等に応じてルックアップテーブル（ＬＵＴ）５４を書き換えるか否かを判断し（Ｓ０２）、書き換える場合にはＬＵＴ５４を書き換えてから（Ｓ０３）、表示部２にそのＬＵＴの内容を表示する（Ｓ０４）。
【００５０】
そして、外部のＲＩＰ４９から入力した網点画像データから図５のようなルックアップテーブルで露光データを作成し（Ｓ０５）、この露光データに基づいて各ＬＥＤ光源３２０〜３２２を発光させることで感光紙を露光する（Ｓ０６）。この場合、ルックアップテーブルが複数の特色に対して他の色が重畳するすべての組み合わせに対応しているので、従来再現することが不可能だった特色と他の色が重畳したオーバープリントにおける色再現が可能となる。
【００５１】
次に、露光により感光した感光紙をドラム１０から剥離部材１５で剥離し、搬送ローラ対３２等で出口１９へと搬送し（Ｓ０７）、現像部２１に接続部１９ａから送り、感光紙の現像処理を行ってから（Ｓ０８）、排出部２８へと排出する（Ｓ０９）。次のカラープルーフを作成する場合には（Ｓ１０）、上記ステップＳ０１に戻る。
【００５２】
次に、図１乃至図５のカラープルーフ作成装置１における別の動作について図７のフローチャートを参照して説明する。
【００５３】
まず、外部のＲＩＰ４９から転送された網点画像データが入力すると（Ｓ２１）、制御部５０は印刷に使用するインクの種類や印刷媒体の地色等に応じて複数のルックアップテーブルからルックアップテーブル（ＬＵＴ）を選択するか否かを判断し（Ｓ２２）、別のＬＵＴを選択する場合には、上述の転送された網点画像データに含まれた外部からのデータに基づいてＬＵＴを選択してから（Ｓ２３）、表示部２にそのＬＵＴの内容を表示する（Ｓ２４）。
【００５４】
そして、外部のＲＩＰ４９から入力した網点画像データから上述の選択した図５のようなルックアップテーブルで露光データを作成し（Ｓ２５）、この露光データに基づいて各ＬＥＤ光源３２０〜３２２を発光させることで感光紙を露光する（Ｓ２６）。このルックアップテーブルは複数の特色に対して他の色が重畳するすべての組み合わせに対応しているので、従来再現することが不可能だった特色と他の色が重畳したオーバープリントにおける色再現が可能となる。
【００５５】
次に、露光により感光した感光紙をドラム１０から剥離部材１５で剥離し、搬送ローラ対３２等で出口１９へと搬送し（Ｓ２７）、現像部２１に接続部１９ａから送り、感光紙の現像処理を行ってから（Ｓ２８）、排出部２８へと排出する（Ｓ２９）。次のカラープルーフを作成する場合には（Ｓ３０）、上記ステップＳ２１に戻る。
【００５６】
以上のように、本実施の形態によるカラープルーフ作成装置によれば、複数の特色に対して他の色が重畳するすべての組み合わせに対応したルックアップテーブルにより露光データを作成することで、従来再現することが不可能だった特色と他の色が重畳したオーバープリントにおける色再現が可能となり、特色インクを使用した印刷物に極めて近似したカラープルーフの作成が可能となる。
【００５７】
また、複数の特色に対して他の色が重畳するすべての組み合わせに対応したルックアップテーブルの内容を書き換えることで、または、複数の特色に対して他の色が重畳するすべての組み合わせに対応したルックアップテーブルを複数のルックアップテーブルから指定することで、特色を含めて印刷で使用するインクの種類や印刷媒体の地色等に対応した適切なルックアップテーブルで露光を行うことができる。
【００５８】
以上のように本発明を実施の形態により説明したが、本発明はこれらに限定されるものではなく、本発明の技術的思想の範囲内で各種の変形が可能である。例えば、複数の光源からの光ビームの各強度組成による露光データを１回ではなく複数回で露光するようにしてもよい。
【００５９】
また、図６では、ルックアップテーブル５４の内容を装置内で記憶したデータに基づいて書き換えたが、転送された網点画像データに含まれるデータに基づいて外部から書き換えるようにしてもよい。
【００６０】
また、図７では、予め記憶した複数のルックアップテーブルから適切なルックアップテーブルを外部から選択するようにしたが、装置内で制御部５０が選択するようにしてもよい。
【００６１】
また、図５のルックアップテーブル５４では、特色２つの場合を例にして説明したが、３以上の特色であっても同様にルックアップテーブルを作成することができることは勿論である。
【００６２】
【発明の効果】
本発明のカラープルーフ作成方法及びカラープルーフ作成装置によれば、特色に対して他の色が重畳するすべての組み合わせに対応し、特色と他の色が重畳した場合の色再現が可能となり、特色インクを使用した印刷物に極めて近似したカラープルーフを作成できる。
【図面の簡単な説明】
【図１】本実施の形態によるカラープルーフ作成装置全体の外観を示す斜視図である。
【図２】図１のカラープルーフ作成装置の内部を正面側から見た図である。
【図３】図２のカラープルーフ作成装置のドラム及び光学ユニットを上部から見た要部平面図である。
【図４】図１〜図３のカラープルーフ作成装置１の露光部１１における画像データの流れ及びカラープルーフ作成装置１の制御系を示す図である。
【図５】図４のルックアップテーブル（ＬＵＴ）の例を示す図である。
【図６】図１乃至図５のカラープルーフ作成装置１における動作を説明するためのフローチャートである。
【図７】図１乃至図５のカラープルーフ作成装置１における別の動作を説明するためのフローチャートである。
【図８】従来のカラープルーフ作成装置におけるルックアップテーブル（ＬＵＴ）の例を示す図である。
【符号の説明】
１・・・カラープルーフ作成装置
２・・・表示部
１０・・・回転ドラム
４９・・・ＲＩＰ
５０・・・制御部
５４・・・ルックアップテーブル
３２０，３２１，３２２・・・ＬＥＤ光源
Ｓ・・・感光紙（銀塩カラー感光材料）
【図１】
2004334108.tif 000003
【図２】
2004334108.tif 000004
【図３】
2004334108.tif 000005
【図４】
2004334108.tif 000006
【図５】
2004334108.tif 000007
【図６】
2004334108.tif 000008
【図７】
2004334108.tif 000009
【図８】
2004334108.tif 000010